(57)【要約】【課題】１つの止水板で浸水を防止しながら止水板を軽量なものとし、かつ止水板が浮いてしまうことを防止する。【解決手段】通路面６０を横断する横溝及び前記横溝の両端から立設される縦溝を備える支持溝と、前記支持溝の上から着脱自在に嵌め込まれ水に対して浮力を有する比重である止水板と、前記止水板の表面に設けられ、前記支持溝の手前側面に当接されることで前記止水板の裏面を前記支持溝の奥側面に押し当てる押圧手段と、を備える。【選択図】図１
2017203335.tif 000002
【特許請求の範囲】
【請求項１】
通路面を横断する横溝及び前記横溝の両端から立設される縦溝を備える支持溝と、
前記支持溝の上から着脱自在に嵌め込まれ水に対して浮力を有する比重である止水板と、
前記止水板の表面に設けられ、前記支持溝の手前側面に当接されることで前記止水板の裏面を前記支持溝の奥側面に押し当てる押圧手段と、
を備えることを特徴とする手動式止水装置。
【請求項２】
前記止水板の芯材がハニカム構造となっていることを特徴とする請求項１に記載の手動式止水装置。
【請求項３】
前記止水板が、
ハニカム構造の紙の芯材と、
前記芯材を挟むケプラー繊維強化プラスチックからなる一組のパネルと、
前記一組のパネルの端部に接合されるアルミニウムの形鋼からなる枠材と、
を備えることを特徴とする請求項１に記載の手動式止水装置。
【請求項４】
前記止水板が、
ハニカム構造の紙の芯材と、
前記芯材を挟むアルミニウムからなる一組のパネルと、
前記一組のパネルの端部に接合されるアルミニウムの形鋼からなる枠材と、
を備えることを特徴とする請求項１に記載の手動式止水装置。
【請求項５】
前記押圧手段が、
前記止水板の表面と直交する回動軸と、
前記回動軸に回動自在に設けられた把持部と、
前記把持部にあわせて回動することで前記支持溝の手前側面に当接される爪部と、
を備えることを特徴とする請求項１ないし４のいずれか１項に記載の手動式止水装置。
【請求項６】
前記支持溝の内幅を１として、前記止水板の厚さが０．３〜０．７であることを特徴とする請求項１ないし５のいずれか１項に記載の手動式止水装置。
【請求項７】
前記止水板の下端面が、前記止水板の表面に向かって傾斜していることを特徴とする請求項１ないし６のいずれか１項に記載の手動式止水装置。
【発明の詳細な説明】
【技術分野】
【０００１】
本発明は、集中豪雨等による洪水等の際に、建物や地下施設等の開口部から水が流入しないよう手動で止水板を設ける手動式止水装置に関する。
【背景技術】
【０００２】
従来、特開２０１５−１４０５６３号公報に、開口部を開口状態で遮るように開閉扉よりも屋外側に設置される補強板と、補強板よりも屋外側に設置されるシートと、シートの幅方向の端を保持する保持部材とを備える開口部の防水装置が開示されている。また、当該文献には、補強板を内部に多数の空隙が設けられた軽量部材と、前記軽量部材の両表面に取り付けられた板材とで構成する旨も開示されている（上記文献の請求項５参照）。
【先行技術文献】
【特許文献】
【０００３】
【特許文献１】特開２０１５−１４０５６３号公報
【発明の概要】
【発明が解決しようとする課題】
【０００４】
しかし、特許文献１に開示されている防水装置は、補強板とシートとの二重構造となるため、補強板とシートの２つを設置する必要があり、緊急を要する河川の氾濫時等に手間がかかるという課題があった。また、補強板を軽量なものとすると、万一、シートの破れ等で水が浸入した際、その軽さゆえに氾濫した水で補強板が浮いてしまい、防水装置の役目を果たすことができなくなるおそれがあった。一方、補強板を水に浮かない様な重たいものとすると、補強板の設置が困難になるという課題があった。
【０００５】
本発明は、上記の点に鑑みなされたもので、１つの止水板で浸水を防止しながら止水板を軽量なものとして、かつ止水板が浮いてしまうことを防止できる手動式止水装置を提供することを目的とする。
【課題を解決するための手段】
【０００６】
１  本発明の手動式止水装置は、
通路面を横断する横溝及び前記横溝の両端から立設される縦溝を備える支持溝と、
前記支持溝の上から着脱自在に嵌め込まれ水に対して浮力を有する比重である止水板と、
前記止水板の表面に設けられ、前記支持溝の手前側面に当接されることで前記止水板の裏面を前記支持溝の奥側面に押し当てる押圧手段と、
を備えることを特徴とする。
【０００７】
本発明の手動式止水装置によれば、止水板が軽量であるため、人手で容易に運搬及び支持溝に嵌め込むことができる。そして、止水板が軽量であっても、止水板を支持溝の奥側面に押し当てる押圧手段を備えるため、止水板と支持溝との間に摩擦力が発生し止水板が水に浮くことがない。
【０００８】
２  本発明の手動式止水装置の好ましい例は、
前記止水板の芯材がハニカム構造となっていることを特徴とする。
【０００９】
３  本発明の手動式止水装置の好ましい例は、
前記止水板が、
ハニカム構造の紙の芯材と、
前記芯材を挟むケプラー繊維強化プラスチックからなる一組のパネルと、
前記一組のパネルの端部に接合されるアルミニウムの形鋼からなる枠材と、
を備えることを特徴とする。
【００１０】
４  本発明の手動式止水装置の好ましい例は、
前記止水板が、
ハニカム構造の紙の芯材と、
前記芯材を挟むアルミニウムからなる一組のパネルと、
前記一組のパネルの端部に接合されるアルミニウムの形鋼からなる枠材と、
を備えることを特徴とする。
【００１１】
これらの本発明の手動式止水装置の好ましい例によれば、止水板をハニカム構造としているため、より軽量でありながら強度に優れた止水板とすることができる。
【００１２】
５  本発明の手動式止水装置の好ましい例は、
前記押圧手段が、
前記止水板の表面と直交する回動軸と、
前記回動軸に回動自在に設けられた把持部と、
前記把持部にあわせて回動することで前記支持溝の手前側面に当接される爪部と、
を備えることを特徴とする。
【００１３】
本発明の手動式止水装置の好ましい例によれば、押圧手段をレバーハンドル式とするため、簡単な操作で確実に止水板を支持溝の奥側面に押し当てることができる。また、構造が簡単なため故障等が少なく、保守性に優れる。
【００１４】
６  本発明の手動式止水装置の好ましい例は、
前記支持溝の内幅を１として、前記止水板の厚さが０．３〜０．７であることを特徴とする。
【００１５】
本発明の手動式止水装置の好ましい例によれば、支持溝の内幅に対して止水板の厚さが十分に薄く、止水板を支持溝に嵌め込んだときに、止水板の表面と支持溝の手前側面との間に隙間ができる。これにより、支持溝にゴミ等が入り込んでいても、ゴミ等をこの隙間に寄せて止水板を嵌め込むことができる。
【００１６】
７  本発明の手動式止水装置の好ましい例は、
前記止水板の下端面が、前記止水板の表面に向かって傾斜していることを特徴とする。
【００１７】
本発明の手動式止水装置の好ましい例によれば、止水板の下端面が止水板の表面に向かって傾斜しているため、ゴミを避けることができ、ゴミが多く支持溝に入り込んでいても、速やかに止水板を支持溝に嵌め込むことができる。
【発明の効果】
【００１８】
以上、説明したように、本発明の手動式止水装置によれば、１つの止水板で浸水を防止しながら止水板を軽量なものとして、かつ止水板が浮くことを防止できる。
【図面の簡単な説明】
【００１９】
【図１】本発明の一実施形態に係る手動式止水装置を説明する図である。
【図２】止水板の正面図及び背面図である。
【図３】押圧手段を説明する図である。
【図４】手動式止水装置の使用状態を説明するための止水板及び支持溝の縦断面図である。
【図５】下端面が表面に向かって傾斜している止水板を説明する図である。
【発明を実施するための形態】
【００２０】
以下、本発明の手動式止水装置の実施の形態について、添付図面を参照して詳細に説明する。図１は本発明の一実施形態に係る手動式止水装置１０を説明する図、図２（Ａ）は止水板３０の正面図、図２（Ｂ）は止水板３０の背面図、図３は押圧手段４０を説明する図である。また、図４は手動式止水装置１０の使用状態を説明するための止水板及び支持溝の縦断面図、図５は下端面３６が表面に向かって傾斜している止水板を説明する図である。
【００２１】
図１〜図４に示すように、本実施形態の手動式止水装置１０は、支持溝２０と、止水板３０と、押圧手段４０と、溝蓋５０とを備える。
【００２２】
支持溝２０は、その断面がコ字状に構成された形鋼からなるもので、横溝２１と縦溝２２とを備える。横溝２１は、断面コ字状の開口部が上方に向けられ、その上端と通路面６０との高さが同じとなるように、通路面６０を横断する様に埋設される。縦溝２２は、断面コ字状の開口部が互いに対向しながら、前記横溝２１の両端から立設され、通路の壁面６１等に固定される。なお、支持溝２０を構成する形鋼のうち、洪水等で水が来る側のフランジの内面を奥側面２３、建物等の側のフランジの内面を手前側面２４という。
【００２３】
止水板３０は、支持溝２０の上方から着脱自在に嵌め込まれるもので、芯材３１と一組のパネル３２ａ，３２ｂと枠材３３とパッキン３４と取っ手３５とを備える。芯材３１は、ハニカム構造となっており、その材質には紙、合成樹脂、アルミニウム等が採用される。一組のパネル３２ａ，３２ｂは、芯材３１をその両面から挟み込む板状のもので、その材質にはケプラー繊維強化プラスチックやアルミニウム等を採用できる。枠材３３は、止水板３０の端を構成するもので、本実施形態では断面コ字状のアルミニウム、ステンレス、鉄等の形鋼の開口部を内側に向けて組み立て、そのフランジにパネル３２ａ，３２ｂを接合している。パッキン３４は、止水板３０の下端部と両端部の裏面に貼設されるゴム等の弾性を有するもので、支持溝２０のフランジの奥側面２３に押し当てられて、漏水を防止する。取っ手３５は、止水板３０の上端面に取付けられるもので、止水板３０を運搬、着脱する際に把持するためのものである。
【００２４】
このように、止水板３０はその内部の殆どを空洞とすることで水に対して浮力を有する比重とし、さらに各部に軽量部材を採用することで人手で容易に運搬等することができる重さとしている。なお、止水板３０の広い面のうち、支持溝２０に嵌め込まれたときに洪水等で水が来る側に向けられる面を裏面３２ｂ、建物等の側に向けられる面を表面３２ａとする。また、本実施形態の止水板３０は、芯材３１にハニカム構造を採用しているが、これに限定されず例えば形鋼を格子状に組み合わせた芯材３１としてもよい。
【００２５】
押圧手段４０は、止水板３０の表面に設けられ、止水板３０の裏面に設けられたパッキン３４を支持溝２０の奥側面２３に押し当てるもので、ベース板４１と回動軸４２と把持部４３と爪部４４とを備える。ベース板４１は、止水板３０の表面に設けられるもので、その略中央に回動軸４２がその軸方向を止水板３０の表面と直交するように設けられる。把持部４３は、人手で把持して回動させるために、回動軸４２に回動自在に設けられた棒状部材である。爪部４４は、把持部４３と一体に構成されるもので、把持部４３と回動軸４２を挟んだ対向側に設けられ、把持部４３にあわせて回動されることによって支持溝２０の手前側面２４に当接され、パッキン３４を支持溝２０の奥側面２３に押し当てる。
【００２６】
溝蓋５０は、止水板３０を支持溝２０に嵌め込まないときに設置されるもので、横溝２１の中に設置され、通路面６０との段差を解消する。なお、本実施形態では、溝蓋５０に断面コ字状の形鋼を、その開口部を下側にして設置しているが、横溝２１の凹みを埋めることができ、かつ容易に取り外せるものであればこれに限定されない。
【００２７】
なお、支持溝２０の内幅Ｗは、止水板３０の厚さＴに押圧手段４０の高さ分を加えた寸法となる。このため、支持溝２０の内幅Ｗに対して止水板３０の厚さＴは薄くなる。この支持溝２０の内幅Ｗを１とすると、止水板３０の厚さＴは０．３〜０．７が好ましい。これは、止水板３０が薄くなりすぎると止水板３０の強度が弱くなるおそれがあるためであり、止水板３０が厚くなりすぎると押圧手段４０の大きさが小さくなり止水板３０を支持溝２０の奥側面２３に十分押し当てることができなくなるおそれがあるためである。また、止水板３０は、図５に示すように、その下端面３６を止水板３０の表面に向かって傾斜させてもよい。なお、ここでは、止水板３０の下端面３６の全面を傾斜させているが、例えば、下端面３６の幅方向の表面側の半分を傾斜させる等、下端面３６の一部を傾斜させてもよい。
【００２８】
このように止水板３０の厚さＴを支持溝２０の内幅Ｗに対して薄く構成することや、下端面３６を止水板３０の表面に向かって傾斜させることで、支持溝２０の中にゴミ等が入り込んでいても、それらのゴミを避けて止水板３０を支持溝２０に嵌め込むことができ、洪水等の緊急時に速やかに止水板３０を設置することが可能となる。
【００２９】
次に、以上説明した手動式止水装置１０の各構成要素を踏まえて、本実施形態の手動式止水装置１０の使用方法を、図１及び図４を参照しながら説明する。
【００３０】
通常時、支持溝２０の横溝２１には、通行の妨げとならないよう溝蓋５０が設置され、通路面６０との段差ができないようにしてある。また、止水板３０は、支持溝２０の近くの格納庫に収納される、又は壁面に取外し可能に立設させて固定される等して保管されている。
【００３１】
次に、洪水等で水が氾濫し、建物等が浸水するおそれが出てきたとき、溝蓋５０を取外し、止水板３０の取っ手３５を持ち、止水板３０の表面３２ａを建物等の側にして支持溝２０の上から嵌め込む。次に、押圧手段４０の把持部４３を回動させ、爪部４４を支持溝２０の手前側面２４に当接させ、その反力（図４矢印ａ）で止水板３０の裏面のパッキン３４を支持溝２０の奥側面２３に押し当てる。これにより、手動式止水装置１０の場所が水で溢れても建物等には水が浸入してくることがない。
【００３２】
なお、止水板３０は上述のように軽量とされているため、何も固定しないと水に浮いてしまい、建物等が浸水することとなるが、本実施形態の手動式止水装置１０では、押圧手段４０によってパッキン３４が支持溝２０の奥側面２３に押し当てられ、摩擦力が発生する。その摩擦力によって止水板３０が固定され、浮くことがない。また、止水板３０の裏面又はパッキン３４と、支持溝２０の奥側面２３とに互いにかみ合う凹凸を設ければ、水に対する浮力に、より対抗することができる。
【００３３】
また、支持溝２０の横溝２１は、通路面６０を横断しているためゴミ等が入り込み易く、止水板３０を嵌め込んだときにそのゴミが邪魔をして、止水板３０がきちんと横溝２１に嵌まらないことが考えられるところ、本発明の手動式止水装置１０は、止水板３０の幅が押圧手段４０の分だけ支持溝２０の幅より薄く構成され、支持溝２０の幅方向に隙間Ｓができるため、支持溝２０に入り込んだゴミを該隙間に移動させゴミを避けて止水板３０を嵌め込むことが可能となる。またさらに、止水板３０の下端面３６を止水板３０の表面に向かって傾斜させることで、ゴミを避けることがより容易となり、速やかに止水板３０を設置することができる。
【００３４】
以上、説明したように、本実施形態の手動式止水装置によれば、止水板が軽量であるため、人手で容易に運搬及び設置が可能となる。さらに、止水板にハニカム構造の芯材を採用していることと、止水板全体に紙、ケプラー繊維強化プラスチック、アルミニウム等の軽量部材を採用していることから、十分な強度を有しながらより軽量な止水板とすることができる。
【００３５】
一方、止水板が軽量であっても、押圧手段で止水板を支持溝に押し当てるため、止水板が支持溝との摩擦力で固定され水に浮くことがない。そして、これらの簡素な構造から、比較的安価に製造することができ、様々な場所へ手動式止水装置を設置することが可能となる。
【００３６】
また、押圧手段が止水板の表面に設けられており、支持溝の幅より止水板の厚さが十分に薄いため、又は止水板の下端面が止水板の表面に向かって傾斜しているため、支持溝にゴミ等が入り込んでもゴミを避けることが可能となり、支持溝に止水板を嵌め込むときの邪魔となりにくい。
【００３７】
なお、上述の手動式止水装置の実施形態は、本発明の例示であり、発明の趣旨を逸脱しない範囲においてその構成を適宜変更することができる。
【符号の説明】
【００３８】
１０・・手動式止水装置、
２０・・支持溝、２１・・横溝、２２・・縦溝、２３・・奥側面、２４・・手前側面、
３０・・止水板、３１・・芯材、３２ａ，３２ｂ・・パネル、３３・・枠材、３４・・パッキン、３５・・取っ手、３６・・下端面、
４０・・押圧手段、４１・・ベース板、４２・・回動軸、４３・・把持部、４４・・爪部、
５０・・溝蓋、
６０・・通路面、６１・・壁面、
Ｗ・・内幅、Ｔ・・厚さ、Ｓ・・隙間、
【図１】
2017203335.tif 000003
【図２】
2017203335.tif 000004
【図３】
2017203335.tif 000005
【図４】
2017203335.tif 000006
【図５】
2017203335.tif 000007